(57)【要約】【課題】  施工が容易で、漏水の心配がなく、暖められた空気を居室内に導く場合にも床下の防腐剤や、グラスウール断熱材のフェノール臭等の臭いが室内に導かれることがない床下温調構造とそれに用いる床下温調板を提供する。【解決手段】  温調用空気を通過させるための給気口１２ｂと排気口１３ｂとに連通する通気路１１を設けて外表面を温調面１０ａに構成し床下に敷設自在とした床下温調板（温調板本体１０）Ａに空調装置４０を連結して前記通気路１１に温調用空気ａを通過させる。【選択図】  図１
2008231744.tif 000002
【特許請求の範囲】
【請求項１】
温調用空気を通過させるための給気口と排気口とに連通する通気路を設けて外表面を温調面に構成し床下に敷設自在としたことを特徴とする床下温調板。
【請求項２】
前記通気路を複数本備えることを特徴とする請求項１に記載の床下温調板。
【請求項３】
前記通気路は平板状箱体からなる温調板本体内に隔壁を介して複数本平行に分画形成されるようにしたことを特徴とする請求項２に記載の床下温調板。
【請求項４】
前記給気口は前記温調板本体に連通される拡散空間を備える平板状箱体給気部に設けられ、前記排気口は前記温調板本体に連通される収束空間を備える平板状箱体排気部に設けられたことを特徴とする請求項１乃至３の何れかに記載の床下温調板。
【請求項５】
前記給気部及び排気部のそれぞれに平板状箱体の上下面間に狭持される整流部材を設けたことを特徴とする請求項４に記載の床下温調板。
【請求項６】
前記吸気口及び前記排気口のそれぞれを連通管に接続自在に構成したことを特徴とする請求項１乃至５の何れかに記載の床下温調板。
【請求項７】
前記温調面に金属を被覆させたことを特徴とする請求項１乃至６の何れかに記載の床下温調板。
【請求項８】
前記通気路は平板状プラスチック段ボールで形成されることを特徴とする請求項１乃至７の何れかに記載の床下温調板。
【請求項９】
前記請求項１乃至８の何れかに記載の床下温調板に空調装置を連結して前記通気路に温調用空気を通過させるようにしたことを特徴とする床下温調構造。
【請求項１０】
前記請求項１乃至８の何れかに記載の床下温調板をプレハブ住宅の床下ユニットに組み付けたことを特徴とする床下温調構造。
【請求項１１】
前記排気口から吸気装置を用いて吸気するようにしたことを特徴とする請求項９又は１０に記載の床下温調構造。
【発明の詳細な説明】
【技術分野】
【０００１】
本発明は、床面、更には、必要により居室内の温度を調節するために用いる床下温調板並びにこの床下温調板を用いた床下温調構造に関する。
【背景技術】
【０００２】
従来、床暖房等の床下温調構造としては、特許文献１に開示されるように、床下に設けた配管に温水を通過させるようにしたものや、特許文献２に開示されるように、基礎上部に形成される床下空間において放熱板、集熱板等で暖めた温風を居室、或いは、上階の床下や居室に導くようにしたものが知られている。
【０００３】
【特許文献１】特開平８−１１００６０号公報
【特許文献２】特開２００６-１２５７７４号公報
【発明の開示】
【発明が解決しようとする課題】
【０００４】
前者は、大がかりな配管作業が必要で、温水の漏れの心配があり、また、配管の外周に結露が生じたりするといった問題があった。また、後者の場合、温水の漏れ等の心配はないものの、放熱板や集熱板の設置作業が面倒で、更には、暖められた空気を居室内に導く場合は、床下の防腐剤や、グラスウール断熱材のフェノール臭等の臭い、或いは、化学物資ルが室内に導かれるという問題があった。そのため、これら従来技術の問題点を解消し、しかも、設置作業が簡単な床下温調構造の提案が望まれていた。
【課題を解決するための手段】
【０００５】
本発明の床下温調板は、かかる要望を満たすもので、請求項１記載の通り、温調用空気を通過させるための給気口と排気口とに連通する通気路を設けて外表面を温調面に構成し床下に敷設自在としたことを特徴とする。
また、請求項２に記載の床下温調板は、請求項１記載の床下温調板において、前記通気路を複数本備えることを特徴とする。
また、請求項３に記載の床下温調板は、請求項２に記載の床下温調板において、前記通気路は平板状箱体内に隔壁を介して複数本平行に分画形成されるようにしたことを特徴とする。
また、請求項４に記載の床下温調板は、請求項１乃至３の何れかに記載の床下温調板において、前記給気口は前記平板状箱体に連通される拡散空間を備える平板状箱体給気部に設けられ、前記排気口は前記平板状箱体に連通される収束空間を備える平板状箱体排気部に設けられたことを特徴とする。
また、請求項５に記載の床下温調板は、請求項４に記載の床下温調板において、前記給気部及び排気部のそれぞれに平板状箱体の上下面間に狭持される整流部材を設けたことを特徴とする。
また、請求項６に記載の床下温調板は、請求項１乃至５に記載の床下温調板において、前記吸気口及び前記排気口のそれぞれを連通管に接続自在に構成したことを特徴とする。
また、請求項７に記載の床下温調板は、請求項１乃至６の何れかに記載の床下温調板において、前記温調面に金属を被覆させたことを特徴とする。
また、請求項８に記載の床下温調板は、請求項１乃至７の何れかに記載の床下温調板において、前記通気路は平板状プラスチック段ボールで形成されることを特徴とする。
また、本発明の床下温調構造は、請求項９に記載の通り、前記請求項１乃至８の何れかに記載の床下温調板に空調装置を連結して前記通気路に温調用空気を通過させるようにしたことを特徴とする。
また、請求項１０に記載の床下温調構造は、前記請求項１乃至８の何れかに記載の床下温調板をプレハブ住宅の床下ユニットに組み付けたことを特徴とする。
また、請求項１１に記載の床下温調構造は、請求項９又は１０に記載の床下温調構造において、前記排気口から吸気装置を用いて吸気するようにしたことを特徴とする。
【発明の効果】
【０００６】
本発明の床下温調板は、温調用空気を通過させるための給気口と排気口とに連通する通気路を設けて外表面を温調面に構成し床下に敷設自在としたため、この床下温調板を現場にて敷設するだけで簡単に床下温調構造を得ることができる。また、特に、プレハブ住宅の場合には、工場にて床下ユニットに組み付けておくことができ、現場での施工を簡単に行うことができる。
【実施例】
【０００７】
次に図面に基づき、本発明の実施例を説明する。
図１乃至図３に示されるものは、本発明床下温調板の一実施例を示すもので、図中１０は温調板本体を示し、縦３４０ｃｍ×横３８ｃｍ×厚み１．２ｃｍのポリプロピレン製の平板状箱体からなり、隔壁１１ａを介して複数本平行に分画形成された直線状の通気路１１を備えるようにした。前記各通気路１１は、縦０．９ｃｍ×横１．５ｃｍの横長の長方形状に形成され、前記隔壁１１ａによって、温調板本体１０の厚み方向に強度を持たせるようにした。
また、温調板本体１０の両端において、一端には内部に拡散空間１２ａを備える略台形の平板状箱体給気部１２と、他端には内部に収束空間１３ａを備える略台形の平板状箱体排気部１３とを一体に連接し、前記給気部１２には吸気口１２ｂを、また、前記排気部１３には排気口１３ｂを設け、前記給気口１２ｂから供給される温調空気ａを給気部１２を介して通気路１１に導き、通気路１１から導かれる温調空気ａを排気部１３を介して排気口１３ｂから排出されるように構成されている。かくして、内部に温調空気を導かれる複数本の通気路１１を備える前記温調板本体１０の平坦面は温調面１０ａに構成されている。
尚、前記通気路１１内に導かれる温調空気は、夏場では５℃〜１５℃、冬場では４０℃〜５０℃の温度に調整される。このため、本実施例では、前記温調板本体１０、給気部１２、排気部１３は、ポリプロピレン製のものを使用したが、これらは０℃〜６０℃の温度域で安定していればよいので、ＡＢＳ(アクリロニトリル・ブタジエン・スチレン)樹脂製、ポリカーボネート樹脂製、スチレン樹脂製、高密度ポリエチレン樹脂製、無可塑ＰＶＣ（ポリ塩化ビニル）樹脂製のものなども使用するのに好適である。
また、本実施例では、前記温調面１０ａに図略のアルミニウム箔が貼着され、床下への熱輻射が良好となるように構成されている。
【０００８】
前記実施例では、給気部１２の拡散空間１２ａには三角形状の整流部材１２ｃが４個配設され、給気口１２ｂから給気される温調空気ａを平行に並ぶ各通気路１１に導くようにした。また、排気部１３の収束空間１３ａにも三角形状の整流部材が１３ｃが４個配設され、前記通気路１１から排気される温調空気ａを排気口１３ｂに導くように構成されている。尚、これら整流部材１２ｃ、１３ｃは給気部１２、排気部１３の平板状箱体の上下面間に狭持され、これら給気部１２，排気部１３の厚み方向に強度を持たせるようにした。
尚、本実施例では、給気口１２と排気口１３を吸気部１２ｂと排気部１３ｂを介して通気路１１に連通するように構成したが、各通気路１１を給気口１２と排気口１３に直接連通させるようにしてもよい。
【０００９】
尚、前記通気路１１の構成は、温調板本体１０の平坦面に温調面１０ａを形成できるものであれば、特に限定されるものではない。
【００１０】
前記給気口１２と排気口１３には、それぞれ、連結コネクタ（松下電工製  ＤＭＰ１４Ｋ）１２ｄと１３ｄが設けられ、連結カップリング（松下電工製  ＤＭ３１４ＳＲＨ）３０ａを備える蛇腹ホース状の連結部材３０に連通自在に構成され、本実施例では図３に示すように、床下に並列配置される３枚の床下温調板Ａを前記連結部材３０を介して給気系と排気系に連通させるようにした。
尚、本実施例では、並列配置される各床下温調板Ａは、それぞれ連結部材３０を介して直列に連通させるようにしたが、図４に示すように、三本に分岐される連結部材３０を介してそれぞれを独立に給気系と排気系に連通させるようにしても構わない。
また、本実施例では、図５に示すように床下温調板Ａの各給気口１２に連結部材３０を介して給気系の空調機４０から温調空気ａを導き、この温調空気ａを各温調板本体１０の通気路１１を通過させ、排気口１３から排出させるようになっている。この排出された温調空気ａは、更に上階の床下に配設した床下温調板に導くようにしてもよいし、適宜居室内に導くようにしてもよい。
【００１１】
図６は施工現場での施工状態を示すもので、家５０の床５０の野地板５１間に、本発明の床下温調板Ａを敷設して、床下温調構造を完成させることができるが、プレハブ住宅であれば、図７に示すように、予め、工場において床下ユニット（５１，５２）に本発明の床下温調板Ａ、或いは、それに給気系や排気系を連通させた床下温調構造を取付金具５３を用いて組み付けておくこともできる。
【図面の簡単な説明】
【００１２】
【図１】本発明床下温調板の一実施例の斜視図
【図２】同Ａ−Ａ線断面図
【図３】本発明床下温調板の敷設状態を示す平面図
【図４】本発明床下温調板の他の敷設状態を示す平面図
【図５】本発明床下温調板の空調機との連結状態を示す正面図
【図６】本発明床下温調板の施工状態を示す斜視図
【図７】本発明床下温調板の床下ユニットへの取付状態を示す斜視図
【符号の説明】
【００１３】
１０  温調板本体
１０ａ温調面
１１  通気路
１１ａ隔壁
１２  給気部
１２ａ拡散空間
１２ｂ給気口
１２ｃ整流部材
１２ｄ連結コネクタ
１３  排気部
１３ａ収束空間
１３ｂ排気口
１３ｃ整流部材
１３ｄ連結コネクタ
３０  連結部材
３０ａ連結カップリング
４０  空調機
５０  家
５１  床
５２  野地板
５３  取付金具
ａ  温調空気
Ａ  床下温調板
【図１】
2008231744.tif 000003
【図２】
2008231744.tif 000004
【図３】
2008231744.tif 000005
【図４】
2008231744.tif 000006
【図５】
2008231744.tif 000007
【図６】
2008231744.tif 000008
【図７】
2008231744.tif 000009